(57)【要約】  コントローラを含むハードウェアとソフトウェアのシステムであって、該コントローラは、メモリ装置に格納されたデータによりブラウズするためのソフトウェアとハードウェアの制御の下に、スクリーン上に表示する方法と動作的に結びついている。メモリ装置に格納されたデータのブラウズが容易になる。すなわち、どんなコンテンツがあるか、及びデータ中の素材の構成を素早く見ることができ、関連するデータ中のアイテムに素早くアクセスすることができるようになる。本システムのコントローラ２０３は、ディスプレイスクリーン２０１上に表示されるデータに対していろいろ作用をする特別な機能を有し、ユーザが関連するデータを素早くブラウズできるようにする。この表示方法は、ＣＤ−Ｒ、ＣＲ−ＲＷ、ＤＶＤ、ポータブル光学的大容量記憶ディスク、ポータブル大容量非光学的記憶媒体、テレビジョン、及び高精細テレビジョンとのインターラクションを含む。
2007524169.tif 000002
【特許請求の範囲】
【請求項１】
仮想書籍を制御しブラウズする方法であって、
電子ブックの２つのページに情報を表示する段階と、
前記表示された情報の前後に前記電子ブック内の分量情報に対応する左側と右側の本の厚み画像を表示する段階と、
前記電子ブックを横切る１つ以上のページめくりを、個別にまたは続けて表示する段階と、を有し、
前記左側と右側の本の厚み画像は前記表示された情報の前後のページを表示することを特徴とする方法。
【請求項２】
請求項１に記載の方法であって、
ページブックマーク、注釈ブックマーク、フィンガーブックマーク及びキーワードブックマークの１つを表示する段階と、
インターネットＵＲＬフィールドを表示する段階と、をさらに有することを特徴とする方法。
【請求項３】
請求項１に記載の方法であって、
左または右のジャンプカーソルの１つを表示する段階をさらに有することを特徴とする方法。
【請求項４】
請求項１に記載の方法であって、
制御装置で前記表示を制御する段階をさらに有することを特徴とする方法。
【請求項５】
請求項４に記載の方法であって、
前記制御装置は
コンピュータと、
キーボードと、
マウスと、及び
リモートコントロール装置と、のうち少なくとも１つを有することを特徴とする方法。
【請求項６】
請求項３に記載の方法であって、
前記左と右のジャンプカーソルの１つにより選択されたページに対応するページ番号を表示する段階をさらに有することを特徴とする方法。
【請求項７】
請求項３に記載の方法であって、
前記ページブックマーク、前記注釈ブックマーク、前記フィンガーブックマーク、及び前記キーワードブックマークの選択された１つにより選択されたページにジャンプし、前記左ジャンプカーソルと前記右ジャンプカーソルの１つを起動する段階をさらに有することを特徴とする方法。
【請求項８】
請求項７に記載の方法であって、
前記選択されたページへの、個別のまたは連続した１つ以上のページめくりを表示する段階と、
左側と右側の厚み画像を調整して前記選択されたページへのジャンプに対応させる段階と、をさらに有することを特徴とする方法。
【請求項９】
請求項１に記載の方法であって、
前記電子ブックを通る表示される動きの速さを調節する段階と、
調節された速さに対応する、めくられるページの増加数を表示する段階をさらに有することを特徴とする方法。
【請求項１０】
請求項８に記載の方法であって、
１つ以上のページを部分的にめくった位置に凍結する段階をさらに有することを特徴とする方法。
【請求項１１】
請求項９に記載の方法であって、
前記凍結された１つ以上のページを制御可能にめくる段階をさらに有することを特徴とする方法。
【請求項１２】
請求項１に記載の方法であって、
粗い厚み表示と細かい厚み表示の１つを表示する段階をさらに有することを特徴とする方法。
【請求項１３】
請求項１に記載の方法であって、
第１の側から第２の側に同時にめくられるページを追加的に表示しつつ、静止した左右のページを表示する段階をさらに有し、前記追加ページは前記静止した左右のページの間にあることを特徴とする方法。
【請求項１４】
請求項１に記載の方法であって、
本をブラウズする速さを調節する段階と、
前記調節された本をブラウズする速さに対応してより多いまたは少ないページを同時に表示する段階と、
ページめくりの方向と前記本をブラウズする速さに比例して左側と右側の厚み画像を調整する段階と、をさらに有することを特徴とする方法。
【請求項１５】
請求項７に記載の方法であって、
現在のページとジャンプ先のページの間でめくれる第１のページの集まりを表示する段階をさらに有し、前記第１のページの集まりの厚みは現在のページとジャンプ先のページの間のページ数に比例することを特徴とする方法。
【請求項１６】
請求項１に記載の方法であって、
第１の方向に同時にめくれる複数のページを表示する段階と、
同時にめくれる複数のページの１つまたは全部のめくりを停止する段階と、
前記第１の方向とは逆の方向にめくれる前記停止した１つまたは全部のページを表示して、一方、前記第１の方向に同時にめくれる前記複数のページの残りを表示する段階と、をさらに有することを特徴とする方法。
【請求項１７】
請求項１６に記載の方法であって、
同時にめくれる複数のページの前記１つまたは全部のサブセットのめくりを停止する段階と、
前記第１の方向にめくれる前記１つまたは全部のページの前記停止されたサブセットを表示し、一方、前記反対方向に同時にめくれる前記サブセットの残りを表示する段階と、をさらに有することを特徴とする方法。
【請求項１８】
請求項１７に記載の方法であって、
前記複数のページの前記残りのサブセットのめくりを停止する段階と、
前記反対方向にめくれる前記複数のページの前記残りの前記停止されたサブセットを表示し、一方、前記第１の方向に同時にめくれる前記複数のページの前記残りの残りを表示する段階と、をさらに有することを特徴とする方法。
【請求項１９】
請求項１０に記載の方法であって、
前記１つ以上の凍結されたページの一部または全部を解凍する段階をさらに有することを特徴とする方法。
【請求項２０】
請求項１９に記載の方法であって、
凍結前のめくり方向と同じ方向にめくれる解凍されたページを表示する段階と、
凍結前のめくり方向と反対の方向にめくれる解凍されたページを表示する段階と、
凍結前のめくり方向と同じ方向にめくれる解凍されたページの第１のサブセットを表示し、一方、凍結前のめくり方向と反対の方向にめくれる解凍されたページの第２のサブセットを表示する段階と、のうちの１つをさらに有することを特徴とする方法。
【請求項２１】
請求項８に記載の方法であって、
前記ページブックマーク、前記注釈ブックマーク、前記フィンガーブックマーク、及び前記キーワードブックマークの他の１つの選択と、及び前記左右のジャンプカーソルの１つの起動との１つにより、第２の選択されたページにジャンプする段階と、
前記現在のページと第２のジャンプ先のページの間でめくれる第２のページの集まりを表示する段階と、を有し、
前記第２のページの集まりの厚みは後続端のページと第２のジャンプ先ページの間のページ数に比例し、
第２の選択されたページへの前記ジャンプは、現在のページとジャンプ先のページの間でめくれる第１のページの集まりを表示している間に起こることを特徴とする方法。
【請求項２２】
請求項４に記載の方法であって、
前記１つ以上のめくれるページを前記ディスプレイ上に静止させる段階と、
制御装置の位置制御構成要素を制御することによりスクリーンを横切って前記静止させた１つ以上のページを動かす段階と、をさらに有することを特徴とする方法。
【請求項２３】
請求項４に記載の方法であって、
前記右側厚み画像と前記左側厚み画像の一方から第１のページまたは第１のページの集まりを持ち上げる段階と、
持ち上げた第１のページまたは持ち上げた第１のページの集まりに、追加ページの集まりを集めて第１のブックサブセクションにする段階と、
前記第１のブックサブセクションを保持またはめくる段階と、をさらに有することを特徴とする方法。
【請求項２４】
請求項２３に記載の方法であって、
前記第１のブックサブセクションから少なくとも１つのページをドロップする段階をさらに有することを特徴とする方法。
【請求項２５】
請求項４に記載の方法であって、
前記右側厚み画像と前記左側厚み画像の一方から第１のページの集まりを持ち上げる段階と、
前記第１のページの集まりを保持またはめくる段階と、をさらに有することを特徴とする方法。
【請求項２６】
請求項２５に記載の方法であって、
前記第１のページの集まりから少なくとも１つのページをドロップする段階をさらに有することを特徴とする方法。
【請求項２７】
請求項２３に記載の方法であって、
前記制御装置で第１の単一ページまたは第２のページの集まりを持ち上げ、第２のブックサブセクションを形成する段階と、
前記第１と第２のブックサブセクションで準書籍を形成する段階と、をさらに有することを特徴とする方法。
【請求項２８】
請求項２７に記載の方法であって、
前記第１と第２のページの集まりの少なくとも一方から少なくとも１つのページをドロップする段階をさらに有することを特徴とする方法。
【請求項２９】
請求項４に記載の方法であって、
メニューを表示する段階をさらに有することを特徴とする方法。
【請求項３０】
請求項４に記載の方法であって、
メモリカードのコンテンツを見る段階、
ＣＤまたはＤＶＤのコンテンツを見る段階、
１つ以上の記憶媒体のコンテンツを見る段階、
メモリカードからＣＤまたはＤＶＤにコンテンツをコピーする段階、
ＣＤまたはＤＶＤからメモリカードにコンテンツをコピーする段階、
第１の記憶媒体から第２の記憶媒体にコンテンツをコピーする段階、
制御装置からメモリカード、１つ以上の記憶媒体、またはＣＤもしくはＤＶＤにコンテンツをコピーする段階、
メモリカード、１つ以上の記憶媒体、ＣＤまたはＤＶＤの１つから制御装置にコンテンツをコピーする段階、
画像、テキスト、オーディオオブジェクト、ビデオオブジェクト、マルチメディアオブジェクト、ページ、及び仮想書籍の１つに任意的機能を適用する段階、のうちの１つをさらに有することを特徴とする方法。
【請求項３１】
請求項３０に記載の方法であって、
メモリカード、１つ以上の記憶媒体、またはＣＤもしくはＤＶＤの前記コンテンツを、サムネイル、スライドショー、またはめくれる書籍として見せる段階をさらに有することを特徴とする方法。
【請求項３２】
請求項３１に記載の方法であって、
プレビューするフォルダを選択する段階をさらに有することを特徴とする方法。
【請求項３３】
請求項３０に記載の方法であって、
メモリカード、ＣＤまたはＤＶＤ、及び１つ以上の記憶媒体の１つの前記コンテンツを、直接またはネットワークを介して前記制御装置に接続された書き込み可能媒体にコピーする段階をさらに有することを特徴とする方法。
【請求項３４】
請求項３０に記載の方法であって、
画像、テキスト、オーディオファイル、ビデオファイル、マルチメディアオブジェクトの１つを、インターネット及びイントラネットの少なくとも１つからコピーする段階をさらに有することを特徴とする方法。
【請求項３５】
請求項３０に記載の方法であって、前記パラメータを設定する段階は、
サウンドエフェクト、アルバム音楽、アルバムテーマ、メモリカード、コンパクトディスク、自動再生間隔の１つを選択する段階を有することを特徴とする方法。
【請求項３６】
請求項３０に記載の方法であって、
画像にビジュアルエフェクトを適用する段階をさらに有することを特徴とする方法。
【請求項３７】
請求項３０に記載の方法であって、
ページ上の画像の削除、回転、及び編集のうち１つをする段階をさらに有することを特徴とする方法。
【請求項３８】
請求項３０に記載の方法であって、
サウンドエフェクトを適用する段階と、画像及びページの一方に音楽を適用する段階とのうち一方をさらに有することを特徴とする方法。
【請求項３９】
請求項３０に記載の方法であって、
前記制御装置に直接またはネットワークを介して接続された書き込み可能媒体に仮想書籍全体をコピーする段階をさらに有することを特徴とする方法。
【請求項４０】
請求項３０に記載の方法であって、
メモリカードのコンテンツを見る前記段階、
ＣＤまたはＤＶＤのコンテンツを見る前記段階、
１つ以上の記憶媒体のコンテンツを見る前記段階、
メモリカードからＣＤまたはＤＶＤにコンテンツをコピーする前記段階、
ＣＤまたはＤＶＤからメモリカードにコンテンツをコピーする前記段階、
第１の記憶媒体から第２の記憶媒体にコンテンツをコピーする前記段階、
制御装置からメモリカード、１つ以上の記憶媒体、またはＣＤもしくはＤＶＤにコンテンツをコピーする前記段階、
メモリカード、１つ以上の記憶媒体、ＣＤまたはＤＶＤの１つから制御装置にコンテンツをコピーする前記段階、
画像、テキスト、オーディオオブジェクト、ビデオオブジェクト、マルチメディアオブジェクト、ページ、及び仮想書籍の１つに任意的機能を適用する前記段階、のうちの少なくとも１つは、１ボタン操作を有することを特徴とする方法。
【請求項４１】
請求項３０に記載の方法であって、
制御装置からメモリカード、１つ以上の記憶媒体、またはＣＤもしくはＤＶＤにコンテンツをコピーする前記段階は、メモリカード、１つ以上の記憶媒体、またはＣＤもしくはＤＶＤに前記制御装置からビューイングソフトウェアを組み込む段階を有することを特徴とする方法。
【請求項４２】
電子ブックを表示・編集するシステムであって、
左右の本の厚み画像により前記電子ブック中の現在の位置を示すように構成された本の厚みインジケータを含むディスプレイスクリーンと、
メモリ・制御装置と、
コントローラと、を有することを特徴とするシステム。
【請求項４３】
請求項４２に記載のシステムであって、
前記ディスプレイスクリーンは、
コンピュータスクリーンと、
テレビスクリーンと、のうち一方を有することを特徴とするシステム。
【請求項４４】
請求項４３に記載のシステムであって、前記テレビスクリーンは、
アナログディスプレイスクリーン、
デジタルディスプレイスクリーン、
ワイドアスペクトディスプレイスクリーン、
非ワイドアスペクトディスプレイスクリーン、
ＮＴＳＣディスプレイスクリーン、
ＰＡＬディスプレイスクリーン、または
その他種類のディスプレイスクリーンのうちの１つを有することを特徴とするシステム。
【請求項４５】
請求項４２に記載のシステムであって、コントローラは、
マウス、
キーボード、
有線または無線のリモコン、のうちの１つを有することを特徴とするシステム。
【請求項４６】
請求項４２に記載のシステムであって、前記コントローラと前記メモリ・制御装置のうち少なくとも１つは、
スタンバイボタン、
クローズボタン、
左ズームボタン、
右ズームボタン、
上ボタン、
下ボタン、
ＯＫボタン、
左ボタン、
右ボタン、
左厚みボタン、
右厚みボタン、
ブックマークボタン、
メニューボタン、
自動めくりボタン、
ページ指定めくりボタン、
コピーボタン、
イジェクトボタン、及び
消去ボタン、のうち少なくとも１つを有することを特徴とするシステム。
【請求項４７】
請求項４６に記載のシステムであって、
前記ボタンの少なくとも１つはディスプレイメニューと強力して動作することを特徴とするシステム。
【請求項４８】
請求項４２に記載のシステムであって、前記コントローラと前記メモリ・制御装置の少なくとも一方は、
動きの方向コマンド、
動きの速さコマンド、
文書中の指定点へのジャンプの選択コマンド、
文書中の指定店へのジャンプコマンド、
パーマネントブックマークコマンド、
フィンガーブックマークコマンド、
単一ページをめくるコマンド、
指定間隔（速さ）で複数ページをめくるコマンド、
最終後続ページの方向反転コマンド、
最終後続Ｎページの方向反転コマンド、
選択した一群のページの方向反転コマンド、
めくる途中で１つまたは２つ以上のページを凍結コマンド、
凍結ページを解凍、凍結前の方向にめくるコマンド、
凍結ページを解凍、すべて同じ方向にめくるコマンド、
凍結ページを解凍、一部を本の左側、残りを右側にめくるコマンド、
凍結ページを解凍、ページのサブグループを異なる方向にめくるコマンド、
ジャンプして、ページの集まりを一度にめくるコマンド、
ページの集まりをめくっている間に他のページをめくるコマンド、
ページをめくっている間にページの１つ以上の集まりをめくるコマンド、
ページを選択して保持コマンド、
保持した単一のページを所望の速さで所望の方向に動かすコマンド、
ページの集まりを選択して保持コマンド、
保持したページの集まりを所望の速さで所望の方向に動かすコマンド、
２つ以上のページまたはページの集まりを選択して保持コマンド、
保持したページ及びページの集まりを所望の方向と速さで動かすコマンド、
めくる途中で単一ページを保持し、他のページをめくって重ねるコマンド、
めくる途中でページの単一の集まりを保持し、他のページをめくって重ねるコマンド、
めくる途中で単一のページまたはページの集まりを保持し、それと本の片側の厚みの１つとの間で全ページ（上記ページとこのページの全て）めくり動作を実行コマンド、及び
めくる途中で２つのページまたはページの集まりを保持し、その間で全ページ（上記ページとこのページの全て）めくり動作を実行コマンド、
のうち少なくとも１つを開始するように構成されていることを特徴とするシステム。
【請求項４９】
請求項４８に記載のシステムであって、
前記コマンドの少なくとも１つはメニューを介して実行されることを特徴とするシステム。
【請求項５０】
請求項４２に記載のシステムであって、
前記メモリ・制御装置はコンピュータを有することを特徴とするシステム。
【請求項５１】
請求項４２に記載のシステムであって、前記メモリ・制御装置は、
前記コンピュータに内蔵されたメモリ、
ポータブルメモリモジュール、
メモリカード、
メモリスティック、及び
コンパクトディスク、のうち少なくとも１つを有することを特徴とするシステム。
【請求項５２】
請求項４２に記載のシステムであって、
ＣＤ−Ｒ、
ＣＤ−ＲＷ、
ＤＶＤ、
ポータブル光学大容量記憶ディスク、
ポータブル大容量非光学記憶媒体、
前記メモリ・制御装置に内蔵された、またはメモリ・制御装置に有線または無線接続により、またはインターネットを介して接続された記憶媒体、のうち１つをさらに有することを特徴とするシステム。
【請求項５３】
請求項１ないし４１に記載の方法の少なくとも１つを実行するように構成された装置。
【請求項５４】
コンピュータに、請求項１ないし４１に記載の方法の少なくとも１つに対応する命令を実行させることを特徴とするコンピュータプログラム。
【発明の詳細な説明】
【技術分野】
【０００１】
（関連特許文献との相互参照）
本発明は、２００２年９月１３日に出願された米国仮出願第６０／４１０，２７８号の優先権を主張するものである。本出願は以下の特許文献と関連している：米国特許第５，９０９，２０７号；米国特許第６，０６４，３８４号；米国特許第６，４０７，７５７号；米国特許第６，３４０，９８０号；２０００年７月１４日に出願された継続中の米国特許出願第０９／６１７，０４３号；２０００年１０月１２日に出願され許可された継続中の米国特許出願第０９／６８６，９０２号；２０００年１０月１２日に出願され許可された継続中の米国特許出願第０９／６８６，９６５号；２００１年９月１３日に出願された継続中の米国特許出願第６０／３１８，６３８号；２００１年１月２３日に出願された継続中の米国特許出願第１０／０２９，７１８号；２００１年１２月１３日に出願された継続中の米国特許出願第１０／０２９，８６８号；２００２年５月１３日に出願された継続中の米国特許出願第１０／１４２，９９６号；２００２年５月１３日に出願された継続中の米国特許出願第１０／１４２，８５８号；２００２年５月１３日に出願された継続中の米国特許出願第１０／１４３，００５号；２００２年３月１９日に出願された継続中の米国特許出願第６０／３６５，１８６号；２００２年３月２８日に出願された継続中の米国特許出願第６０／３６７，７６５号。上記の各出願の全内容は、ここに参照により援用する。
【０００２】
本発明は、コントローラを含むハードウェアとソフトウェアのシステムに関する。該コントローラは、メモリ装置に格納されたデータによりブラウズするためのソフトウェアとハードウェアの制御の下に、ディスプレイスクリーン上に表示する方法と動作的に結びついている。これによりメモリ装置に格納されたデータのブラウズが容易になる。すなわち、どんなコンテンツがあるか、及びデータ中の素材（ｍａｔｅｒｉａｌ）の構成（ｏｒｇａｎｉｚａｔｉｏｎ）を素早く見ることができ、関連するデータ中のアイテムに素早くアクセスすることができるようになる。具体的に、本発明は、ディスプレイスクリーン上に表示されるデータに対していろいろ作用をする（ｅｆｆｅｃｔｉｎｇ  ｖａｒｉｏｕｓ  ａｃｔｉｏｎｓ）特別な機能を有し、ユーザが関連するデータを素早くブラウズできるようにするコントローラに関する。
【背景技術】
【０００３】
現在、仮想に格納された文書を見る（ｖｉｅｗｉｎｇ）方法は、仮想的なモニタースクリーンを使用するものである。１つのスクリーン内に収まりきらない文書に対しては、その文書を上下にスクロールしたり、その文書中の特定のポイントにジャンプしたりする手段が設けられる（例えば、スクリーンに表示された文書の縁にあるスクロールバーとともに「マウス」を使用したり、ハイパーテキストリンクを使用したりする）。
【０００４】
しかし、ほとんどの人は、本と比較して、これが文書を見る（ｖｉｅｗ）特に便利な方法であるとは思っていない。その証拠に、仮想（ｖｉｒｔｕａｌ）がますます使用されているにもかかわらず、それに対応して紙の使用が減らないだけでなく、従来は仮想に格納され容易かつ柔軟に操作して見ることができたはずのものを印刷するために、より多くの紙が必要になっている。場合によっては、印刷した情報が必要である。例えば、写真を紙に印刷して壁などの表面に貼る場合や、比較的軽くて固いペーパーバックにして時と場所を選ばずに見る場合などである。しかし、リーダー（ｒｅａｄｅｒ）は、デスクトップコンピュータの前に座ったり、デスクをはなれてノートブックコンピュータを操作したりする場合もあるが、それでも文書を印刷して手に持って読みたいものである。このことは、特に、ソフトウェアのマニュアルを含めたマニュアルを参照（ｌｏｏｋｉｎｇ  ｔｈｒｏｕｇｈ）して装置やアプリケーションソフトウェアの操作方法を知りたい場合にあてはまる。皮肉なことに、ソフトウェア（ｖｉｒｔｕａｌ  ｓｏｆｔｗａｒｅ）のパッケージには、通常、厚くて重いマニュアルがついてくるが、その情報は軽いＣＤ−ＲＯＭに容易に格納できるものである。マニュアルがＣＤ−ＲＯＭの形で配布されても、人はたいてい読みやすくするために印刷してハードコピーを読んでいる。
【０００５】
本の印刷された素材（ｍａｔｅｒｉａｌ）を見る（ｉｎｔｅｒａｃｔ）時には、微妙かつ複雑なプロセスが関係している。まず、本の中の素材（ｍａｔｅｒｉａｌ）は一連の順序で提示されており、ページごとに素材が連続している。また、（素材が章、節、サブセクション等に組織化されているように）提示される素材に階層構造がある。その理由は、素材中のアイデアは何らかの概念的階層で互いに関係しているからである。人間の知覚システムは、順番にデータを取り込む。最初から終わりまで順番に本を読んだ後、脳は概念的階層を再形成する。しかし、本を初めから終わりまで読まない（関連素材を取り込まない）場合も非常に多い。その理由は、（ａ）素材の概観を得たい、（ｂ）関心がある事項を探している、（ｃ）本の一部のみを読みたい（例えば、マニュアルを読む場合に、何かの操作方法を知りたいとき）などである。これらの場合、人は特に関心のある素材（ｍａｔｅｒｉａｌ）を探すために本をブラウズする。
【０００６】
基本的な事はブラウズのプロセスで達成される。第１に、ブラウズする人は、何がその本のコンテンツであるかをちらりと見る。第２に、ブラウズする人は、関心のあるアイテムがどこにあるか、大体のアイデアを有し、（ａ）必要な時に後で戻って探し、（ｂ）現在読んでいる（ｂｅｉｎｇ  ｖｉｅｗｅｄ）素材と他の素材の間の関係を理解（すなわち、関連する階層構造を理解）できるようになる。本をブラウズする時、ページをめくる（ｆｌｉｐ）ために指の動きを必要とし、人は、これにより、ページにより課される固有の一連の順序とともに、関連素材の性質、場所、構成を非常に早く理解することができる。
【０００７】
本をブラウズするプロセスでは、人は以下の動作を実行することができる：
（ａ）本中の素材を読みたい詳しさのレベルに応じて、速さを変えてページをめくる；
（ｂ）関心のあるアイテムがある大体の場所にジャンプする；
（ｃ）ページをめくる方向を非常に速く変更する。その理由としては、
（ｉ）異なるページにある素材を比較対照したい、
（ｉｉ）関心のあるアイテムの大体の場所にジャンプした後、その正確な場所を知りたい、
（ｉｉｉ）関心のあるアイテムがどこにあるか分からず、それを探している；及び
（ｄ）後で戻りたい関心のあるページの場所をマークする。
【０００８】
これらの動作はすべてめくるページ（ｆｌｉｐｐｉｎｇ  ｐａｇｅｓ）を操作している指と、その指と手の最小限の動きとで、非常に素早く実行される。面白いことに、ページが柔らかくて柔軟な本や雑誌は、ブラウズするためにより大きな指や手の動きが必要なので操作しづらく、ページがかたい本はほとんど手を動かさなくてもブラウズすることができる。
【０００９】
仮想に格納した文書をブラウズする現在利用可能な方法における、例えば仮想スクリーン上のスクロールバーとボタンを組み合わせたマウスの使用では、手をより大きく動かして上記の様々な動作をする必要がある。また、（スクリーン上のカーソルを動かすために、マウスの場合のように手の動きを使用するか、トラックボールの場合のように指の動きを使用するかに応じて）手や指を細かく動かしてスクリーン上の必要な場所にカーソルを動かす必要がある。このプロセスはいずれも時間がかかり面倒である。プロセスの冗長性により、人間は、短期記憶を用いてアイテム間の関係を確立するために近い過去に出会ったアイテムを記憶しなければならず、またプロセスが面倒なので、気が散り短期記憶に影響があることがある。これは認知心理学ではよく知られて効果である。
【００１０】
本の中の素材はページに組織化されているので、読者は関連する素材の場所をよりよく覚えている。ワードプロセッサで通常行われるように、スクリーン上で文書をスクロールすると、コンテントがぼやけて読めないが、このプロセスと異なり、ページをめくって本の中の素材を移動する時、読者はコンテンツを詳細にではなくても大体は見ることができる。本をブラウズする人がそのコンテンツ、特定のアイテムの場所、及び素材の構成をよく理解できるのは、こうした機能があるからである。
【００１１】
上記の理由から、人々は、現在利用可能な方法を用いて仮想的スクリーンに表示された文書の画像よりも、手で本を読む方を好む。
【００１２】
米国特許第５，４６７，１０２号（Ｋｕｎｏその他）は、２つのディスプレイスクリーンにより構成された文書ビューイング装置を開示している。２つのディスプレイスクリーンを使用する目的の１つは、ユーザに文書の異なる２つのページ（例えば、図とそのテキストによる説明）を表示させ、横に並べて見ることができる他の目的は、両方のページを同時に使って大きな画像を表示することである。Ｋｕｎｏ等の装置によると、ユーザは、圧力センサにより文書中を移動する速さを変化させることができる。より大きな圧力をかけると文書中のページはより速く移動する。また、Ｋｕｎｏ等の装置によると、文書は、順センサ領域または逆センサ領域を押すことにより、それぞれ前方向または後方向に見ることができる。また、スクリーン上に表示されたアイコンを押すことにより、ジャンプするページを選択することもできる。しかし、Ｋｕｎｏ等の装置は、本をブラウズするのと同じ便利さは提供していない。その理由は主に、異なる制御（文書中の移動スピード、見る（ｖｉｅｗｉｎｇ）方向の変更、及び異なる文書の部分へのジャンプ）の動作の間で切り換える時、物理的な本を操作する場合よりも手や指の動きが大きなからである。さらに、Ｋｕｎｏ等の装置は、２つのディスプレイスクリーンに組み込まれたセンサとハードウェアを有する特殊で比較的コストの高い装置である。一方、本願発明者は、コストが低くより現実的な装置が既存の仮想システムに加わるものであると考える。
【００１３】
現在、仮想マウスもあり、このマウスは、従来のマウスを用いて仮想スクリーン上でカーソルを位置決めするときの上記の問題（すなわち、手と指を細かく制御する必要があること）を解消することができる。これらのマウスにより、ユーザは、スクリーン上の「ホットロケーション」を指示することができる。カーソルは、従来のマウスよりも細かくない制御でスクリーン上のホットロケーションに「戻る（ｈｏｍｅｓ  ｏｎｔｏ）」ことができる。さらに、このマウスの一部（ｓｕｂｓｅｔ）は、カーソルの「垂直のみ」または「水平のみ」の動きをして、スクロールプロセスに従来のマウスで必要とされたほど筋肉の細かい制御を要しないようにしている。このマウスは、仮想ベースの文書ブラウズに関する限り、従来の仮想入力の方法と関連する問題の全部ではないが一部を解消する。
【００１４】
ＭｃＴａｇｇａｒｔの米国特許第５，４１７，５７５（１９９５年）は、薄膜シートを合わせたて本の形にした電子ブックを開示している。これらのシートの各々では、一番上の層に印刷された素材が配置され、その層の下に薄い発光ダイオード（ＬＥＤ）とバックシートに取り付けられた圧力感知スイッチを含む電子背景がある。ＬＥＤは、印刷された素材の一部をハイライトする目的で、一番上の層を通して見ることができる仮想信号を発生する。印刷された素材のアイテムの下に配置された圧力スイッチは、ユーザによるこれらのアイテムの選択を検知するためである。この本はスピーカも備えており、オーディオ信号を発して、テキストを説明したり、ユーザにオーディオフィードバックを与えたりする。ページには接触スイッチまたは光検出スイッチも組み込まれ、電子回路はどのページが現在読まれているか知ることができる。そのため、適当なオーディオ信号及びビジュアル信号を発することができる。この装置は、印刷された素材をビジュアル及びオーディオの点で拡張（ｅｎｈａｎｃｅｍｅｎｔｓ）しており、ユーザからのフィードバックを受け付けることもでき、人が典型的な本を扱うようにこの装置を扱えるような形にはなっているが、基本的にはハードウェア的な装置であり、再プログラムはできない。また、異なるコンテンツの本とする場合には、ハードウェアを別に設定しなければならない。電子ブックに表示するために仮想から文書ファイルをダウンロードすることはできず、この電子ブックは任意の文書ファイルを表示することもできない。よって、この装置は仮想に格納された文書をブラウズするには適していない。
【００１５】
米国特許第５，９０９，２０７（Ｈｏ）は、ユーザが電子的仮想書籍の形で文書を読んで（ｖｉｅｗ）操作できる仮想ベースシステムを開示している。このシステムは、電子媒体中の情報をブラウズするにあたり上記問題を解決している。この仮想書籍システムは、紙の本に非常に近く、２つの主要な構成要素を有している。一方は、仮想スクリーン上の紙の本の表示であり、ページをめくることができ、厚みも表示される。他方は、ブラウズ装置の使用であり、これにより：
１．ページめくりの方向を素早く変更することができ、
２．ページめくりの速さを素早く変更することができ、
３．所望のどのページも選択し、そこにジャンプすることができ、
４．ページにブックマークをすることができる。
【００１６】
ブラウズ装置により、指を使って、紙の本の場合とほとんど同じように本のページを操作することができる。それゆえ、スクリーン上の本の画像とともにページを仮想的に操作することができる仮想書籍システムをなす。この仮想書籍システムは、情報のブラウズしやすさが紙の本で得られるブラウズしやすさに近い、非常に重要な方法で情報をブラウズする現在の電子的手段で使用される方法を改良する。これにより、ユーザは、大量のページの情報を素早くブラウズして、構造とコンテンツをしり、「仮想書籍」中の素材全体をうまく概観することができる。関連する素材の構造とコンテンツを知ることができる以外に、紙の本の場合とほぼ同じように仮想書籍の形で提示された素材をブラウズするプロセスは、その素材中のアイテムを後で探しやすくする。
【００１７】
米国特許第５，９０９，２０７（Ｈｏ）では、仮想書籍ブラウズ装置は基本的に圧力センサ及び位置センサにより構成されている。指が圧力センサに及ぼす圧力により、仮想書籍のページをめくるスピードを制御する。仮想書籍システム中のブラウズ装置の位置センサにおける指の動きは、紙の本の厚みにおけるジャンプ先のページを選択する指の動きに対応する。圧力センサと位置センサの組み合わせにより、仮想書籍を素早くブラウズすることができる。
【００１８】
しかし、米国特許第５，９０９，２０７号（Ｈｏ）に記載された情報提示及びブラウズ方法は、簡単な１ボタン動作で所望の機能のほとんどを実行できる統合システムにシステムのいろいろな構成要素をまとめることにより、さらに改善することができる。これにより、消費者によるシステムの使用が大幅に改善される。
【００１９】
それゆえ、消費者指向の市場用の仮想書籍システムを提示する特別なシステムが必要であることに本願発明者は思い至った。具体的に、コンピュータ、通常のまたはワイドスクリーンのテレビジョン（ＴＶ）、または通常またはワイドスクリーンの高精細テレビジョン（ＨＤＴＶ）とインターフェイスできる仮想書籍システム提示用の特殊システムが必要である。また、仮想書籍システムをＣＤ−Ｒ、ＣＤ−ＲＷ、ＤＶＤ、及び同様の光学的または非光学的ポータブル大容量記憶ディスクまたは非ディスク媒体とインターフェイスする必要がある。
【発明の開示】
【発明が解決しようとする課題】
【００２０】
仮想書籍の制御とブラウズ等の仮想書籍システム上の様々な所望の動作を実行する１−ボタンの簡単な動作を消費者に提供する現在利用可能な方法（ｓｃｈｅｍｅｓ）の上記の欠点を考慮して、本発明の目的の１つは、データ転送と動作表示用の１−ボタンオペレーションを提供するメモリ・制御装置を提供することである。
【００２１】
本発明の他の目的は、仮想書籍システム上の仮想書籍を効果的かつ素早く制御しブラウズするためにメモリ・制御装置と協働するコントローラを提供することである。
【００２２】
本発明のさらに別の目的は、コントローラ上の指により実行される操作の制御の位置決めと設計において、指の動きを最小化して、表示された仮想書籍のブラウズを最大限容易にすることである。人間の指の器用さをこれらの制御に十分利用すべきである。
【００２３】
これらの目的の各々は、仮想書籍または同等な情報を、コンピュータ；通常またはワイドスクリーンのテレビジョン（ＴＶ）；通常またはワイドスクリーンの高精細度テレビジョン（ＨＤＴＶ）に表示する目的を含み、ＣＤ−Ｒ、ＣＤ−ＲＷ、ＤＶＤ、及び同様な光学的／非光学的ポータブル大容量記憶ディスクまたは非ディスク媒体とインターフェイスする目的を含む。
【００２４】
添付した図面を参照して以下の詳細な説明を読めば、本発明のより完全な理解とその有利な点の多くを理解することができるであろう。
【発明を実施するための最良の形態】
【００２５】
図面を参照する。図面を通して同じ参照数字は同一または対応する構成要素を指示する。より具体的には仮想書籍インターフェイスの一実施形態を示す図１Ａを参照する。基本的に、情報は開いた本のように２ページに表示される。この段階では、幾つかのページをブラウズして「仮想書籍」１００に集めてある。現在のページ（見えているページ）の前または後ろにある素材の量は、それぞれ本の左側（１０１）と右側（１０２）（及び左下（１０３）と右下（１０４）の縁）の厚さが変化することにより示される。左右の厚み（１０１、１０２）には幾つかのブックマーク（１０５−１０７）が示されており、以前読んだ（ｖｉｅｗｅｄ）ページの一部にブックマークしてある。この厚みに示されたブックマークには３つの種類がある。ページブックマーク１０５、注釈ブックマーク１０６、フィンガーブックマーク１０７である。下の厚み（１０３、１０４）には幾つかのキーワードブックマーク１０８が示されている。仮想書籍１００の上のインターネットＵＲＬ（Ｕｎｉｖｅｒｓａｌ  Ｒｅｓｏｕｒｃｅ  Ｌｏｃａｔｏｒ）フィールド１０９にはＵＲＬアドレスを入力することができる。
【００２６】
ユーザが所望のページを選択できるように、ジャンプカーソル１１０、１１１が左右の厚み（１０１、１０２）に設けられている。ユーザは、マウスその他の制御装置を用いて、左右のジャンプカーソル（それぞれ１１０、１１１）を左右の厚み（それぞれ１０１、１０２）の上下に動かすことができる。ページ番号がジャンプカーソルのタグ上に現れ、そのジャンプカーソルにより選択されたページを表示する。ユーザは、ジャンプカーソルを用いてあるページにジャンプしてそのページを選択しようとするときは、マウスその他の入力装置を用いてジャンプを実行することができる。
【００２７】
図１Ｂは、仮想書籍１００のある選択された頁にジャンプするプロセスを示す。ジャンプは、ブックマーク（例えば、ページブックマーク１０５）を選択するか、ジャンプカーソル（例えば、ジャンプカーソル１１０または１１１）により実行される。元々見えていたページ１１３とジャンプ先のページ１１４の間の厚み１１２は、物理的な本の場合のように、連続したアニメーションとして仮想スクリーンを横切って動くように示される。
【００２８】
図１Ｃは、仮想書籍１００の１ページ１２０がめくられるプロセスを示す。ページ１２０は、曲がって示され、仮想スクリーンを横切って動き、その下のページ１２１が現れる。
【００２９】
図１Ｄは、ページをめくって仮想書籍１００上を動くスピードが速くなったので、２ページ以上（１２２−１２５）が同時に仮想スクリーンを横切って動くところを示している。ユーザは動いているページをすべて凍結することを選択できる。
【００３０】
図１Ｅは、特殊ジャンプカーソルモードを示し、ジャンプカーソル（１１０または１１１）の領域中のページの厚みが選択され、微調整モードに入る。スクリーンの解像度により、ページの厚み（１０１、１０２）を用いて多数のページを表しても、仮想スクリーン上の厚みの表示は限られた数のピクセルしかないので、ピクセル増加ステップ（ｐｉｘｅｌ−ｉｎｃｒｅｍｅｎｔｅｄ  ｓｔｅｐｓ）での厚み（それぞれ１０１、１０２）にわたってジャンプカーソル（１１０または１１１）を動かしても、ユーザはページの一部を選択できないかも知れない。それゆえ、微調整モードが必要となる。一実施形態では、ジャンプカーソル（例えば、ジャンプカーソル１１１）を右クリックして、ジャンプカーソル１１１の回りの厚み領域を「拡大」して、四角形１５０として表示する。四角形１５０で表された厚みは、ジャンプカーソル１１１により現在指示されているページの近くの、厚み１０２全体で表されたページの一部を表す。ジャンプカーソル１１１を四角形１５０内で上下に動かすと、元の厚み１０２よりも細かいレベルでページにアクセスすることができる。さらに、厚み１０２のページにより細かくアクセスできる厚み１０２の「拡大」も可能である。
【００３１】
図２は、一般消費者市場をターゲットとしたシステム２００の一実施形態を示す。システム２００は、ディスプレイスクリーン２０１、メモリ・制御装置２０２、及びコントローラ２０３により構成されている。ディスプレイスクリーン２０１は、コンピュータスクリーン、テレビスクリーン、またはその他の種類のいかなるディスプレイスクリーンであってもよい。装置２００は、コマンドに応じてディスプレイスクリーン２０１上に仮想書籍インターフェイスを生成して仮想書籍フォーマット２０４で情報を表示する、コンピュータベースのシステムやその他の種類のシステムである。コントローラ２０３は、マウス、キーボード、（無線または有線の）カスタムリモコン、または装置２０２に必要な信号を生成してディスプレイスクリーンに必要な画像を生成するその他の種類のいかなる入力装置（例えば、テレビまたはＤＶＤのリモコン）であってもよい。
【００３２】
図３Ａは、コンピュータスクリーンにおける仮想書籍１０００の基本的なページめくりメカニズムを示す図である。左ページ１０１０と右ページ１０１１は静止しているが、３つのページ１０２０、１０２１、１０２２は右側から左側に同時にめくられている。動きが速ければ速いほど、より多くのページが同時にめくられ、またはその逆である。（最小の場合、１ページをめくることができる。）仮想書籍１０００の動きの速さは、仮想書籍１００の右側から左側にめくられる各ページの動きの速さに比例する。めくられたページ１０２０、１０２１、１０２２は、仮想書籍１０００の左側に到達した時、そこに集められ、仮想書籍１０００の左側の一部を形成する。仮想書籍の両側にある厚み１００５と１００６は、一方側からページがなくなり他方側に集められる結果として、然るべく変化する。
【００３３】
図３Ｂは、右側の厚み１００６にあるジャンプカーソル１０３０、または右側の厚み１００６にあるブックマーク１０３５のいずれかを起動させた結果としての基本的なジャンプメカニズムを示す。現在の右手ページ１０１１とジャンプ先のページ１０４５の間のページの集まり（ｃｏｌｌｅｃｔｉｏｎ  ｏｆ  ｐａｇｅｓ）が、仮想書籍１０００の右側から左側にめくられるところを示している。右手ページ１０１１とジャンプ先のページ１０４５の間にあるページ数に比例する厚み１０４０が、仮想書籍１０００を横切って動くところを示している。
【００３４】
図４−１１は、以下により詳しく説明するブラウズ制御コマンドを受け取った結果である、より複雑なページめくり動作を示す。
【００３５】
図４Ａは、仮想書籍１１００の右側から仮想書籍１１００の左側に幾つかのページ（１１１０−１１１３等）がめくられるところを示している。（ページ１１１４と１１１５は、まだ仮想書籍１１００の右側にある。）図４Ａに示したすべてのページ（１１１０−１１１３等）のこのめくり状態から出発して、図４Ｂは、ページめくりの途中で全てのページ（１１１０−１１１３等）をめくる方向が逆に変更されたところを示している。図４Ａに示した全てのページ（１１１０−１１１３等）のめくり状態から初めて、図４Ｃは、後続のページ１１１３の方向がめくる途中で逆に変更され、その他のページ（１１１０−１１１２）は仮想書籍１１００の左側に引き続きめくられるところを示している。
【００３６】
図４Ａの仮想書籍１１００における４つのページ（１１１０−１１１３）すべてと、その後に同じ方向に（右から左に）めくられようとしているページ（１１１４、１１１５）のめくり状態から初めて、図４は、後続の一群のページ（１１１３、１１１４、１１１５）のめくり方向が逆に変更されて左から右に行き、一方、その他のページ（１１１０、１１１１、１１１２）は右から左に引き続きめくられるところを示している。２組のページ（一方は１１１０−１１１２、他方は１１１３−１１１５）の間の領域１１２０は「開き（ｏｐｅｎ  ｕｐ）」始め、２組のページは反対方向に引き続きさらにめくられる。図４Ｅでは、（一方のページ１１１０−１１１２と他方の１１１３−１１１５の間の）領域１１２１がさらに開くところが示されている。
【００３７】
図４Ｅの仮想書籍１１００中のページ（１１１０−１１１５）のめくり状態では、一部のページ（１１１０−１１１２）は右から左にめくられ、一部のページ（１１１３−１１１５）は左から右にめくられている。この状態から始めて、一定のブラウズ制御コマンドが与えられた時、図４Ｆに示したように、右側の一群のページ（１１１３−１１１５）の後続ページ−ページ１１１３−のめくり方向は逆に変更され、右から左にめくられる。一方、ページ１１１４と１１１５は、引き続き左から右にめくられ、ページ１１１３とページ１１１４の間の領域１１２３が開き始める。
【００３８】
図４Ｅの仮想書籍１１００における全てのページ（１１１０−１１１５）のページめくり状態では、ページの一部（１１１０−１１１２）が右から左にめくられ、ページの他の一部（１１１３−１１１５）は左から右にめくられる。この状態から始めて、一定のブラウズ制御コマンドが与えられたとき、図４Ｇに示したように、右側にある一群のページ（１１１３−１１１５）の後続ページ（１１１３、１１１４）のグループのめくり方向は反転され、右から左にめくるように変更されている。領域１１２４ができてだんだんと開く。
【００３９】
図４Ｅの仮想書籍１１００における全てのページ（１１１０−１１１５）のページめくり状態では、ページの一部（１１１０−１１１２）が右から左にめくられ、ページの他の一部（１１１３−１１１５）は左から右にめくられる。この状態から始めて、一定のブラウズ制御コマンドが与えられたとき、図４Ｈに示したように、左側にある一群のページ（１１１１−１１１２）の後続ページ（１１１１、１１１２）のグループのめくり方向は反転され、左から右にめくるように変更されている。領域１１２５ができてだんだんと開く。
【００４０】
図４Ｉは、図４Ａの仮想書籍１１００のページめくり設定、または図４Ｂ−４Ｈの仮想書籍１１００のページめくり設定から始めて、全てのページがページめくりを停止して、めくっている途中で「凍結」したところを示している。
【００４１】
ページは、この凍結状態にした後、「解凍」することもできる。「解凍」後には４つの状態がある：
１．ページは解凍され、個々のページが凍結前の方向にめくられる；
２．ページは解凍され、全てのページが同じ方向にめくられる。
３．ページが解凍され、一部のページは右から左にめくられて左側に行き、一部のページは左から右にめくられて本の右側に行く。
４．ページが解凍され、ページの一部はそれぞれ異なる方向にいく。
【００４２】
図５Ａは、例えば、図３Ｂに示したようなブックマークまたはジャンプカーソルのいずれかの起動によるジャンプ動作の結果として、ページの集まり１２１２が右から左にめくられ、その後に幾つかの後続の単一ページ１２１３−１２１５がめくられるところを示している。
【００４３】
図５Ａのめくり設定では、例えば、ページの集まり１２１２がめくられ、それに幾つかの単一ページ（１２１３−１２１５）がめくられて続いている。この設定から始めて、図３Ｂに示したようなブックマークまたはジャンプカーソルの起動によるジャンプ動作の結果として、図５Ｂに示したように、ページの集まり１２１６がさらにめくられる。この後、単一ページまたはページの集まりのいかなる組み合わせをさらにめくることもできる。めくり方向の変更その他の動き効果が可能である。例えば、図４Ｂ−４Ｉで説明した単一ページのめくりと同様に、単一ページまたはページの集まりの組み合わせのすべてまたはその一部のページめくり中の凍結などである。すなわち、１２１２、１２１６等のページの集まりは、図４Ｂ−４Ｉでは、単一ページのように振る舞う。
【００４４】
図６Ａと６Ｂは、ページを操作する保持及びめくり（ｈｏｌｄ−ａｎｄ−ｆｌｉｐ）方法を示す。例えば、図６Ａに示したページ１３０６のように、仮想書籍１３００の右側において、ページが最初は静止した状態から始めて、ポインタ１３１０が仮想書籍１３００の右側の静止位置からページ１３０６をつまみ上げ、右から左、または左から右のいずれかの方向に、図６Ｂに示したようにめくられる。このように、ページ１３０６の両側を望むときに難解でも繰り返し調べることができる。
【００４５】
「保持及びめくり」モードに入る他の方法において、図７は、ポインタ１４１０がめくり動作の途中でページ１４０４を持ち上げたところを示している。このページ１４０４は、図４Ａないし４Ｈに示しためくり状態の１つにあるページでもよいし、図４Ｉに示したような凍結状態のページでもよい。そのあと、その左にあるページ１４０１−１４０３と右にあるページ１４０５−１４０７は、仮想書籍１４００の左側と右側にそれぞれ落ちて静止する。この持ち上げられたページを保持及びめくりモードにおいてめくって、調べることもできる。
【００４６】
図８は、仮想書籍１５００のページの集まり１５０３の持ち上げとそれに続くめくり動作を示す。これは、単一ページではなくページの集まりを操作する保持及びめくり方法である。ページの集まり１５０３は、例えば、仮想書籍１５００の右側の静止状態から、または幾つかのページの集まりがめくり動作中である図５Ｂに示した状態のめくり動作の途中から、持ち上げることができる。
【００４７】
図９は、２つ以上の単一ページ（例えば、１６０３と１６０４）及び／またはページの集まり（例えば、１６０５）に適用する同時保持及びめくり動作を示す。幾つかのポインタ（１６１０−１６１２）が保持及びめくり動作に関係している。
【００４８】
図１０Ａと１０Ｂは、仮想書籍１７００のページを操作する保持及びめくり（ｈｏｌｄ−ａｎｄ−ｆｌｉｐ）方法を示す。（ページ１７０５が仮想書籍１７００の右側または左側に静止している時、またはページめくりの途中で、）仮想書籍１７００のページ１７０５をポインタ１７１０により持ち上げる。次に、その左側及び／または右側のページ１７２０−１７２５は、めくり動作の途中であるか仮想書籍１７００の左側及び／または右側で静止しているかを問わず、ページ１７０５に「集められ」、図１０Ｂに示したページの集まり１７０６となる。集まり全体１７０６は、図１０Ｂに示したように左右にめくることができる。
【００４９】
図１０Ｃは、幾つかのページ１７３０−１７３３がポインタ１７１０によりめくる途中で保持されたページの集まりから解放されるところを示している。
【００５０】
図１１Ａは、仮想書籍１８００のページを操作する保持及びブラウズ（ｈｏｌｄ−ａｎｄ−ｂｒｏｗｓｅ）方法を示す。単一ページ及び／またはページの集まり１８０１をポインタ１８１０で持ち上げる。このページの集まり１８０１と右側の厚み１８０３は、新しい「準書籍（ｓｕｂｂｏｏｋ）」となる。これらの間では、全ての種類のブラウズ及びめくり動作をページ（例えば、ページ１８０５−１８０８）に対して実行することができる。
【００５１】
図１１Ｂは、２つのページの集まり（１８０１と１８０４）を含む仮想書籍１８００のページを操作する他の保持及びブラウズ（ｈｏｌｄ−ａｎｄ−ｂｒｏｗｓｅ）方法を示す。２つのページの集まり１８０１と１８０４を、２つのポインタ１８１０と１８１１でそれぞれ持ち上げる。これらの２つのページの集まり１８１０と１８１１は、新しい「準書籍（ｓｕｂｂｏｏｋ）」となる。これらの間では、全ての種類のブラウズ及びめくり動作をページ（例えば、ページ１８０５−１８０８）に対して実行することができる。一般的に、２つのページ及び／またはページの集まりは「準書籍（ｓｕｂ  ｂｏｏｋ）とすることができ、幾つかのページを通常通りブラウズしたりめくったりすることができる。
【００５２】
図１２は、上で説明した基本的及び複雑なめくり動作をまとめたものである。
【００５３】
図３−１１に示したすべての複雑なめくり動作はマウス、米国特許第５，９０９，２０７号（Ｈｏ）に記載されたブラウズコントローラの１つ、及びマウスその他の指示・制御方法を伴うブラウズコントローラの１つで制御することができる。特に、めくり動作は図１３に示したようにコントローラで制御することができる。
【００５４】
図１３に示したコントローラ３００１は、幾つかの機能を単一のコントローラに組み込んでいる。リモコン３００１は、
１．仮想書籍２０４のめくり動作を制御し；
２．ディスプレイスクリーン２０１に表示された１つ以上のメニューを表示することを選択し；
３．ディスプレイスクリーン２０１上に表示された表示メニューのアイテムを選択し；
４．ＤＶＤドライブのイジェクトやメモリ・制御装置２０２上の選択されたメモリの消去等の一定の動作を実行する。
【００５５】
コントローラ（コンピュータ）上のスタンバイボタン３０１０は、ディスプレイスクリーン２０１及び／またはメモリ・制御装置２０２のその他の回路のオン・オフをする。クローズボタン３０１１は、ディスプレイスクリーン２０１上のメニューまたは仮想書籍２０４を閉じ、（以下で説明する）フルスクリーンズームから戻るか、（以下で説明する）厚みまたはブックマーク選択モードから戻る。
【００５６】
左ズームボタンと右ズームボタン（３０１２と３０１３）は、左手ページと右手ページをそれぞれフルスクリーンモードに拡大する。アップボタンとダウンボタン（３０１４と３０１８）は、メニューまたは仮想書籍２０４のサイドに表示されるブックマーク（１０５−１０７）の選択を上下に動かすものである。（すなわち、マウスがない時、選択する方法、例えば、様々なブックマークは、（例えば、以下に説明するボタン３０２４を押すことにより）最初にブックマークモードに入る選択であり、次にアップボタン（３０１４）及びダウンボタン（３０１８）を用いて垂直に配置されたいろいろなブックマークをハイライトして、所望のものがあれば、「ＯＫ」ボタン（３０１７、以下に説明する）を押す。）
左ボタン（３０１５）及び右ボタン（３０１６）は、メニュー、ブックマーク、厚み（１０１と１０２）、または左右のページにおいて左向き及び右向きの選択移動をするものである。メニュー、ブックマーク、厚み、その他のモードに入っていなければ、左ボタン（３０１５）と右ボタン（３０１６）は、ページをそれぞれ左または右にめくるボタンとなる。ＯＫボタン３０１７は選択オプションを確認するためのものである。左厚みボタン（３０１９）と右厚みボタン（３０２０）は、仮想書籍（１００または２０４）の左右の厚み（１０１と１０２）をそれぞれ選択するものである。ブックマークボタン３０２１は、ブックマークモードに入るためのボタンである。ブックマークモードでは、ページにブックマークを追加したり、削除したり、ブックマークしたページにジャンプしたりできる。プロセスは以下の通りである。最初に、ブックマークボタン３０２１を押す。すると、システムはブックマークモードに入る。次に、仮想書籍（１００または２０４）にはすでに幾つかのブックマーク（例えば、図１Ａのブックマーク１０５−１０７）があるとすると、ユーザは、左ボタン３０１５を用いて、左の厚み１０１にある選択するブックマークの１つをハイライトし、次に上ボタン（３０１４）及び下ボタン（３０１８）を用いて所望の特定のブックマークを選択する。所望のブックマークを選択すると、ＯＫボタン３０１７を押すと仮想書籍２０４がめくられブックマークされたページがひらく。厚みは図１Ｂに示したようにアニメーションされる。
【００５７】
左厚みボタン（３０１９）と右厚みボタン（３０２０）は以下のように使用する。最初に、ユーザはボタン（３０１９と３０２０）を用いて仮想書籍（１００または２０４）の左右の厚み（１０１と１０２）をそれぞれ選択する。ジャンプカーソル（１１０または１１１）が厚み上に現れ、選択された位置を示す。（厚み上で選択された位置は、仮想書籍２０４中の点に対応する。）厚み上の選択された位置を変更するには、ユーザは、所望の位置に来るまで、左ボタン及び右ボタンを使用してジャンプカーソル（仮想書籍１００上の１１０または１１１）を左右に動かす。そして、ＯＫボタン３０１７を押すと、仮想書籍２０４が所望のページまでめくられる。厚みは図１Ｂに示したようにアニメーションされる。
【００５８】
メニューボタン３０２２を押すと、様々な動作をトリガーするためのメニューがディスプレイスクリーン２０１上に表示される。自動めくりボタン３０２３を押すと、仮想書籍２０４は自動めくりモードに入り、ページめくりボタンを何ら押さなくてもページが自動的にめくられる。ページ指定めくり（ＦＬＩＰ  ＴＯ）ボタン３０２４により、ユーザは、幾つかの所望のページをめくって開ける（ｆｌｉｐ  ｔｏ）ことができる。ボタン３０２４を押すと、ディスプレイスクリーン２０１上にメニューが現れ、ユーザは、ページをめくって表紙、外裏表紙、その他の所望のページを例えばページ番号に基づき開けることができる。
【００５９】
コピーボタン３０２５を押すと、メモリ・制御装置２０２上のメモリの内容が、メモリ・制御装置２０２に挿入された他の媒体（書き込み可能ＣＤ等）にコピーされる。イジェクトボタン３０２７を押すと、ＤＶＤ、ＣＤ、その他の記憶媒体がメモリ・制御装置２０２からイジェクトされる。消去ボタン３０２６を押すと、メモリ・制御装置２０２中のメモリが消去される。
【００６０】
図１４は、メモリ・制御装置２０２の一実施形態４００１の前面を示す図である。メモリ・制御装置４００１は、メモリドライブ４００２とメモリカードスロット４００３を有する。ボタン４００４はパワーオン／オフボタンであり、インジケータライト４００５はメモリ・制御装置４００１がオンかオフかを示す。メモリカードスロット４００３により、写真を格納してデジタルカメラから取り外したようなメモリカードを挿入して読み取ることができる。ＣＤドライブ４００２により、ブランクの書き込み可能ＣＤ／ＤＶＤや予め記録されたＣＤ／ＤＶＤやその他の同様なメモリ媒体を挿入して読み書きをすることができる。コピーボタン４００６を押すと、例えば、メモリカードスロット４００３中のメモリカードから全てのデータをメモリドライブ４００２の媒体に転送することができる。インジケータライト４００７は、点灯している時は、転送中であることを示す。消去ボタン４００８を押すと、メモリ・制御装置４００３中のメモリが消去される。インジケータライト４００９は、点灯している時は、消去中であることを示す。イジェクトボタン４０１０は、押すと、メモリドライブ４００２をイジェクトする。インジケータライト４０１１は、点灯している時は、イジェクト中であることを示す。
【００６１】
上記のメモリドライブ４００２とメモリカードスロット４００３は、単なる具体的な実施形態である。一般的に、これらはいかなる種類の記憶媒体に読み書きをするいかなる種類のドライブでもよく、３つ以上あってもよい。
【００６２】
メモリ・制御装置２０２が動作を開始して、記憶媒体が挿入される前に、ディスプレイスクリーン（図１５、５００１）は（メモリ・制御装置２０２がオンであることを示す、図１５に示したようなフレーム５００２が表示される以外は）ブランクである。メモリカードがメモリカードスロット４００３に挿入されている時は、カードにデータがあり、例えば３つのフォルダ／ファイルに入れられていれば、スクリーン５００１は、メモリカードスロット４００３中の媒体からであることを示すグラフィック／テキストによる表示とともに、３つのフォルダ／ファイル５０１０、５０１１、及び５０１２を表示する。メモリドライブ４００２に媒体が挿入されている時、その媒体中のフォルダ／ファイルを表すアイコン（５０２０、５０２１、５０２２）もディスプレイスクリーン５００１上に表示される。
【００６３】
スクリーン上のフォルダ／ファイルで、ユーザは上下ボタン（３０１４、３０１８）及び左右ボタン（３０１５、３０１６）を用いて所望のフォルダ／ファイルを選択することができる。所望のフォルダ／ファイルを選択してＯＫボタン３０１７を押すと、選択されたフォルダ／ファイルの内容を含む仮想書籍２０４がディスプレイスクリーン２０１に表示される。
【００６４】
ディスプレイスクリーン２０４に表示され、コントローラ２０３で制御される情報は、メモリ・制御装置２０２内の記憶媒体から、または有線接続または無線接続のいずれかを介してインターネットから、もしくはその他の装置から来るものである。
【００６５】
より多くのボタンをコントローラ２０３に追加して、図１２に掲げ図３−１１に示したようなより複雑なページめくり動作を実行することもできる。これらのボタンを使用して、図１Ｅに示して上で説明したような微細制御厚み領域１５０を用いることにより、ジャンプするページを検索する細かい制御を実行することもできる。
【００６６】
メモリ・制御装置２０２（図２）または４００１（図１４）は、そのメモリカードスロット４００３（図１４）に挿入したメモリカードからデータを読み出す以外に、そのメモリドライブ４００２（図１４）に挿入したＣＤその他の記憶媒体から仮想書籍２０４としてスクリーン２０１（図２）に示すデータを求めることができる。
【００６７】
図１６は、システム１６００と、スクリーン上で見た仮想書籍をＣＤその他の記憶媒体１６０５に転送するプロセスを示す図である。メモリ・制御装置１６０２を用いてスクリーン１６０１上で仮想書籍１６０４を見るプロセスにおいて、コントローラ１６０３上のボタン１６０６を押すとメニュー１６０７がポップアップし、選択１６０８をして仮想書籍１６０４全体をＣＤその他の媒体１６０５上に転送することができる。このプロセスは、コピーボタン３０２５（図１３）またはコピーボタン４００６（図１４）を用いてＣＤその他の媒体１６０５に直接データを転送する上で説明したプロセスとは異なる。上記の場合、ファイルはそのまま転送される。図１６に示したプロセスの場合、仮想書籍１６０４が生成され、媒体１６０５（ＣＤその他の媒体）に転送される。すなわち、媒体１６０５を受け取った者はコンピュータ、他のメモリ・制御装置１６０２、または媒体１６０５を見ることができるその他の装置にその媒体１６０５を挿入することができ、同じ仮想書籍１６０４が関連するスクリーン（例えば、１６０１）上に現れる。これを実現するための１つの方法は、仮想書籍１６０４の内容とともにビュアーソフトウェアを媒体１６０５に転送して、何らかの読み出し装置が媒体１６０５を読んだ時に関連するスクリーン（例えば１６０１）上に仮想書籍１６０４が再現できるようにすることである。
【００６８】
上記の仮想書籍転送プロセスを起動する、メニュー１６０７上の選択１６０８を使用する以外に、コントローラ１６０３上の専用ボタン１６０９を使用することもできる。
【００６９】
図１３に示したコントローラ３００１を用いて、図１に示した基本的なページめくり動作を制御する以外に、図３−１２に示したすべての複雑なページめくり動作を制御することができる。これは、コントローラ３００１上の図１３に示したボタン、またはコントローラ３００１に追加したボタンにより実現することができる。これらのボタンを単独で、または他のボタンと組み合わせて使用して、これらの複雑なページめくり動作（図３−１２）を実行することができる。
【００７０】
コントローラ（図１３の３００１または図２の２０３）を用いてスクリーン２０１（図２）に表示された仮想書籍２０４の図１に示した基本的ページめくり動作や図３−１２に示した複雑なページめくり動作をするのではなく、コンピュータマウスやその他の制御／入力装置を使用することもできる。
【００７１】
図１７−２２は、システム２００上のいろいろな動作を実行するために、スクリーン２０１（図２）上に現れる一連のメニューの一実施形態を示す図である。
【００７２】
図１７は、システム２００が始動した時のメニュー１７０１を示す図である。選択肢には、メモリカードを見る１７０２、ＣＤの内容を見る１７０３、メモリカードからＣＤにコピー１７０４、及びオプション１７０５が含まれている。
【００７３】
図１８は、図１７のメモリカードを見る１７０２が選択された時のメニュー１８０１を有する、スクリーン２０１上の表示を示す図である。メモリカード４００３（図１４）には３つのフォルダ１８０２、１８０３、及び１８０４があり、現在選択されているフォルダは１８０２ＣＡＮ００１であることを示している。プレビュー１８０５は、選択されたフォルダ１８０２ＣＡＮ００１の内容の一部を示している。
【００７４】
図１９は、図１７のＣＤの内容を見る１７０３が選択された時のメニュー１９０１を有する、スクリーン２０１上の表示を示す図である。メモリドライブ４００２（図１４）には３つのフォルダ１９０２、１９０３、及び１９０４があり、現在選択されているフォルダは１９０２ロンドンであることを示している。プレビュー１９０５は、選択されたフォルダ１９０２ロンドンの内容の一部を示している。
【００７５】
図１７のメニュー１７０１において、メモリカードからＣＤにコピー１７０４が選択された場合、メモリカード４００３の全ての内容がメモリドライブ４００２中のＣＤ（その他の書き込み可能媒体）にコピーされる。この効果は、メモリ・制御装置４００１（図１４）上のコピーボタン４００６を押すことにより実現することもできる。一般的に、メモリドライブ４００２中のＣＤ（その他の書き込み可能媒体）にコピーするデータのデータ源は、メモリカード４００３か、またはＵＳＢその他の接続を介してメモリ・制御装置４００１に接続されたその他の記憶媒体である。データは、インターネットとの接続を介してインターネットから得ることもできる。
【００７６】
図１７のメニュー１７０１において、オプション１７０５が選択されると、オプションメニュー２００１（図２０）が現れる。このオプションメニューでは、サウンドエフェクト、アルバム音楽、アルバムテーマ、メモリカード、コンパクトディスク、及び自動再生間隔等の様々なパラメータを設定することを選択することができる。
【００７７】
図１８に示したメニュー１８０１において、現在選択されているフォルダが例えば１８０２ＣＡＮ００１であり、コントローラ３００１（図１３）上のＯＫボタン３０１７が押されると、フォルダ１８０２ＣＡＮ００１の内容に基づくフォトアルバム／仮想書籍２１０１が図２１に示すように生成される。
【００７８】
図１９に示したメニュー１９０１において、現在選択されているフォルダが例えば１９０２ロンドンであり、コントローラ３００１（図１３）上のＯＫボタン３０１７が押されると、フォルダ１８０２ＣＡＮ００１の内容に基づくフォトアルバム／仮想書籍２１０１が図２１に示すように生成される。
【００７９】
フォトアルバム／仮想書籍２１０１（図２１）を見ながらコントローラ３００１（図１３）上のメニューボタン３０２２を押すと、図２２に示したように、フォトアルバム／仮想書籍２１０１の上のスクリーン上にメニュー２２０２が現れる。左右のページの写真またはコンテンツに適用できる効果がある。消去、回転、その他の編集機能を左ページ選択２２０３を用いて左ページのコンテンツに適用することができ、同様に、右ページ選択２２０４を用いて右ページのコンテンツに適用することができる。サウンドエフェクト、アルバム音楽などのアルバムオプション２２０５を選択することもできる。このメニュー２２０２中の「アルバムをＣＤに焼き付け」２２０６により、フォトアルバム／仮想書籍全体をメモリドライブ４００２（図１４）中の媒体（例えば、コンパクトディスクＣＤ）に焼き付けることができる。「アルバムをＣＤに焼き付け」コマンド２２０６が起動された時にメモリドライブ４００２の記憶媒体（例えば、ＣＤ）にフォトアルバム／仮想書籍を転送する方法は、誰かが、コンピュータシステム、その他のシステム２００（図２）、または記憶媒体を読むように構成されたその他のシステムのいずれかのメモリドライブに記憶媒体（例えばＣＤ）を後で挿入するものであるから、フォトアルバム／仮想書籍全体がこれらのシステムのスクリーン上に現れ、図クリーン２０１上に示されたのと同じように組織化された同じコンテンツ（すなわち、仮想書籍２１０１）を表示する。これを実現するために、通常は、媒体またはＣＤに転送すべきコンテンツと一緒に、記憶媒体上にビュアーソフトウェアの書き込むことも必要である。シームレスに視聴するため、このビュアーソフトウェアは、媒体やＣＤが受け側システムのメモリドライブに挿入された時に自動的に立ち上がるようにする。
【００８０】
ユーザは、メニュー２００１（図２０）において、アルバム音楽２００２やアルバムテーマ２００３を変更するように選択することもできる。これらのアイテムのいずれかが選択された時、メモリカード４００３またはメモリドライブ４００２（図１４）に音楽または写真ファイルを含む記憶媒体を挿入するように促される。ユーザは、これらの１つ以上のファイルを選択して、アルバム音楽（フォトアルバム／仮想書籍２１０１の視聴に時に演奏される音楽）やアルバムテーマ（フォトアルバム／仮想書籍上の表紙、ページ、外裏表紙、その他のグラフィックス）を変更することができる。
【００８１】
ユーザがコントローラ３００１（図１３）を使用し、仮想書籍２１０１（図２３）を見ながら右厚みボタン３０２０を押すと、図２３に示したように、ジャンプカーソル２３０２が右側厚み２３０１に現れる。ここで、ユーザが左ボタン３０１５または右ボタン３０１６（図１３）を押すと、ジャンプカーソルはそれぞれ左または右に動き、所望のページを選択する。ジャンプカーソル２３０２と関連する数字２３０３が表示され、選択されたページのページ番号を示す。ジャンプカーソルは後で選択された所望のページにジャンプするために使用される。例えば、ジャンプカーソルが選択されたページに配置され、ＯＫボタン３０１７（図１３）が押されると、仮想書籍２１０１は選択されたページまでめくられ、図１Ｂに示したように、とばされたページはスクリーンを横切って動くページの集まりのアニメーションの形式で表される。そのページの集まり厚みはとばされたページ数に比例する。相応じて、ジャンプカーソルを仮想書籍２１０１の左厚み２３０５上に表示して、同様に制御し使用することができる。
【００８２】
メモリ・制御装置２０２またはリモコン２０３（図２）上の専用ボタンとして次のものを利用可能とすることもできる：メニュー２２０２上の１−ボタンの「アルバムをＣＤに焼く」オプション２２０３のような図２２の制御入力のすべて；左ページ２２０３、右ページ２２０４、及びメニュー２２０２のその他のアルバムオプション２２０４の動作のすべて；メニュー１７０１（図１７）の「メモリカードを見る」１７０２、「ＣＤコンテンツを見る」１７０３、「メモリカードからＣＤにコピー」１７０４、及びオプション１７０５の選択肢のすべて；図１８−２０のメニュー１８０１、１９０１、及び２００１上の選択肢のすべて；図１２にリストした基本的及び複雑なページめくり動作のすべて。
【００８３】
システム２００（図２）が読み書きできるメモリカード４００３及びメモリドライブ４００２等のメモリ・記憶装置４００１（図１４）上の記憶媒体は、メモリ制御装置４００１の外にある他の物理的装置であって、有線接続、無線接続、またはインターネットを介してメモリ・制御装置４００１と接続されたものにあってもよい。
【００８４】
これらの実施形態の各々は、仮想書籍または同等な情報を、コンピュータ；通常またはワイドスクリーンのテレビジョン（ＴＶ）；通常またはワイドスクリーンの高精細度テレビジョン（ＨＤＴＶ）に表示するように構成されていてもよいし、ＣＤ−Ｒ、ＣＤ−ＲＷ、ＤＶＤ、または同様な光学的／非光学的ポータブル大容量記憶ディスクまたは非ディスク媒体とインターフェイスするように構成されていてもよい。
【００８５】
本発明の具体的な実施形態を例示して説明したが、言うまでもなく、当業者は多数の変更や修正に想到するであろう。添付したクレームは、本発明の精神と範囲内に入る変更や修正をすべてカバーするものである。
【図面の簡単な説明】
【００８６】
【図１Ａ】メモリ・制御装置からの情報を表示するために使用するディスプレイスクリーン上に表示された仮想書籍の上面斜視図である。
【図１Ｂ】数ページ先にジャンプする途中のディスプレイスクリーン上に表示された仮想書籍の上面斜視図である。
【図１Ｃ】次ページにめくる途中のディスプレイスクリーン上に表示された仮想書籍を示す上面斜視図である。
【図１Ｄ】多数のページを同時にめくるプロセスでディスプレイスクリーン上に表示される仮想書籍の上面斜視図である。
【図１Ｅ】ページ選択の際に解像度がより細かくなるように厚さが拡大された、ページ選択のプロセスでディスプレイスクリーン上に表示される仮想書籍例を示す上面斜視図である。
【図２】ディスプレイスクリーン、メモリ・制御装置、及びコントローラの３つの主要構成要素がある、仮想書籍表示・制御システムを示す正面斜視図である。
【図３Ａ】基本的なページめくりプロセスを示す仮想書籍の上面斜視図である。
【図３Ｂ】選択されたページにジャンプするプロセスを示す仮想書籍の上面斜視図である。
【図４Ａ】複雑なページめくりプロセスの始めを示す仮想書籍の上面斜視図である。
【図４Ｂ】すべてのページのめくり方向の変更を示す仮想書籍の上面斜視図である。
【図４Ｃ】後続ページの方向の変更を示す仮想書籍の上面斜視図である。
【図４Ｄ】一群の後続ページの方向の変更を示す仮想書籍の上面斜視図である。
【図４Ｅ】めくっているページ中の領域を開くところを示す仮想書籍の上面斜視図である。
【図４Ｆ】めくっているページの右側サブグループ中の後続ページの方向変更を示す仮想書籍の上面斜視図である。
【図４Ｇ】めくっているページの右側サブグループ中の後続の数ページの方向変更を示す仮想書籍の上面斜視図である。
【図４Ｈ】めくっているページの左側サブグループ中の後続の数ページの方向変更を示す仮想書籍の上面斜視図である。
【図４Ｉ】仮想書籍のページめくりの途中におけるページめくり動作の凍結を示す仮想書籍の上面斜視図である。
【図５Ａ】ページの集まりのめくりと、その後の単一ページの一連のめくりとを示す仮想書籍の上面斜視図である。
【図５Ｂ】２回以上のページの集まりのめくりと、幾つかの単一ページのめくりとを示す、仮想書籍の上面斜視図である。
【図６Ａ】右側ページを持ち上げたところを示す仮想書籍の上面斜視図である。
【図６Ｂ】ページを持ち上げて左右にめくったところを示す仮想書籍の上面斜視図である。
【図７】持ち上げたページを保持してその他のページを仮想書籍の左右側にある静止位置（ｒｅｓｔｉｎｇ  ｐｏｓｉｔｉｏｎ）にそれぞれ戻すところを示す、仮想書籍の上面斜視図である。
【図８】数ページを保持して左右にめくったところを示す仮想書籍の上面斜視図である。
【図９】幾つかの単一ページとページの集まりを保持して左右にめくったところを示す、仮想書籍の上面斜視図である。
【図１０Ａ】単一ページを保持し、その他の幾つかのページをめくってその単一ページに集めるところを示す、仮想書籍の上面斜視図である。
【図１０Ｂ】ページの集まりを保持して左右にめくった効果を示す、仮想書籍の上面斜視図である。
【図１０Ｃ】ページの集まりから幾つかのページを解放する効果を示す、仮想書籍の上面斜視図である。
【図１１Ａ】ページの集まりを保持して仮想書籍の右側の厚みとともに準書籍（ｓｕｂ−ｂｏｏｋ）を形成し、その間の幾つかのページにページめくりとブラウズの動作を実行したところを示す、仮想書籍の上面斜視図である。
【図１１Ｂ】２つのページの集まりを保持してその間に準書籍（ｓｕｂ−ｂｏｏｋ）を形成し、その間の幾つかのページにページめくりとブラウズの動作を実行したところを示す、仮想書籍の上面斜視図である。
【図１２】基本的及び複雑なページめくり動作のリストである。
【図１３】ディスプレイスクリーン上の仮想書籍とその他の表示されたアイテムを制御するコントローラの上面斜視図である。
【図１４】ディスプレイスクリーン上に表示された画像を表示し制御する信号をおくるメモリ・制御装置の上面斜視図である。
【図１５】ディスプレイスクリーン上に表示された画像を選択及び操作するための、ディスプレイスクリーン上に表示インターフェイスである。
【図１６】ディスプレイスクリーン、メモリ・制御装置、及びコントローラの３つの主要構成要素、及びディスプレイスクリーン上に表示されたメニューがある、仮想書籍表示及び制御システムを示す正面斜視図である。
【図１７】いろいろなメモリソースからの読み取り（ｖｉｅｗｉｎｇ）とメモリコピーするためにメモリを起動する選択肢を示す、仮想書籍システムのトップレベルメニューである。
【図１８】メモリソース上のフォルダを操作するために選択するメニューである。
【図１９】メモリソース上のフォルダを操作するために選択する他のメニューである。
【図２０】システムパラメータ設定用のメニューである。
【図２１】メインシステム上のディスプレイスクリーン上に表示された仮想書籍の正面斜視図である。
【図２２】メモリ媒体への仮想書籍の書き込みを含むさまざまな選択を示す、メインシステムのディスプレイスクリーン上に表示された仮想書籍の正面斜視図にスーパーインポーズされたメニューである。
【図２３】ジャンプカーソルが表示されたメインシステムのディスプレイスクリーン上に表示された仮想書籍の正面斜視図である。
【図１Ａ】
2007524169.tif 000003
【図１Ｂ】
2007524169.tif 000004
【図１Ｃ】
2007524169.tif 000005
【図１Ｄ】
2007524169.tif 000006
【図１Ｅ】
2007524169.tif 000007
【図２】
2007524169.tif 000008
【図３Ａ】
2007524169.tif 000009
【図３Ｂ】
2007524169.tif 000010
【図４Ａ】
2007524169.tif 000011
【図４Ｂ】
2007524169.tif 000012
【図４Ｃ】
2007524169.tif 000013
【図４Ｄ】
2007524169.tif 000014
【図４Ｅ】
2007524169.tif 000015
【図４Ｆ】
2007524169.tif 000016
【図４Ｇ】
2007524169.tif 000017
【図４Ｈ】
2007524169.tif 000018
【図４Ｉ】
2007524169.tif 000019
【図５Ａ】
2007524169.tif 000020
【図５Ｂ】
2007524169.tif 000021
【図６Ａ】
2007524169.tif 000022
【図６Ｂ】
2007524169.tif 000023
【図７】
2007524169.tif 000024
【図８】
2007524169.tif 000025
【図９】
2007524169.tif 000026
【図１０Ａ】
2007524169.tif 000027
【図１０Ｂ】
2007524169.tif 000028
【図１０Ｃ】
2007524169.tif 000029
【図１１Ａ】
2007524169.tif 000030
【図１１Ｂ】
2007524169.tif 000031
【図１２】
2007524169.tif 000032
【図１３】
2007524169.tif 000033
【図１４】
2007524169.tif 000034
【図１５】
2007524169.tif 000035
【図１６】
2007524169.tif 000036
【図１７】
2007524169.tif 000037
【図１８】
2007524169.tif 000038
【図１９】
2007524169.tif 000039
【図２０】
2007524169.tif 000040
【図２１】
2007524169.tif 000041
【図２２】
2007524169.tif 000042
【図２３】
2007524169.tif 000043
【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
仮想書籍を制御しブラウズする方法であって、
電子ブックの２つのページに情報を表示する段階と、
前記表示された情報の前後に前記電子ブック内の分量情報に対応する左側と右側の本の厚み画像を表示する段階と、
前記電子ブックを横切る１つ以上のページめくりを、個別にまたは続けて表示する段階と、を有し、
前記左側と右側の本の厚み画像は前記表示された情報の前後のページを表示することを特徴とする方法。
【請求項２】
請求項１に記載の方法であって、
ページブックマーク、注釈ブックマーク、フィンガーブックマーク及びキーワードブックマークの１つを表示する段階と、
インターネットＵＲＬフィールドを表示する段階と、をさらに有することを特徴とする方法。
【請求項３】
請求項１に記載の方法であって、
左または右のジャンプカーソルの１つを表示する段階をさらに有することを特徴とする方法。
【請求項４】
請求項１に記載の方法であって、
制御装置で前記表示を制御する段階をさらに有することを特徴とする方法。
【請求項５】
請求項４に記載の方法であって、
前記制御装置は
コンピュータと、
キーボードと、
マウスと、及び
リモートコントロール装置と、のうち少なくとも１つを有することを特徴とする方法。
【請求項６】
請求項３に記載の方法であって、
前記左と右のジャンプカーソルの１つにより選択されたページに対応するページ番号を表示する段階をさらに有することを特徴とする方法。
【請求項７】
請求項１に記載の方法であって、
前記ページブックマーク、前記注釈ブックマーク、前記フィンガーブックマーク、及び前記キーワードブックマークの選択された１つにより選択されたページにジャンプし、前記左ジャンプカーソルと前記右ジャンプカーソルの１つを起動する段階をさらに有することを特徴とする方法。
【請求項８】
請求項１に記載の方法であって、
前記選択されたページへの、個別のまたは連続した１つ以上のページめくりを表示する段階と、
左側と右側の厚み画像を調整して前記選択されたページへのジャンプに対応させる段階と、をさらに有することを特徴とする方法。
【請求項９】
請求項１に記載の方法であって、
前記電子ブックを通る表示される動きの速さを調節する段階と、
調節された速さに対応する、めくられるページの増加数を表示する段階をさらに有することを特徴とする方法。
【請求項１０】
請求項８に記載の方法であって、
１つ以上のページを部分的にめくった位置に凍結する段階をさらに有することを特徴とする方法。
【請求項１１】
請求項９に記載の方法であって、
前記凍結された１つ以上のページを制御可能にめくる段階をさらに有することを特徴とする方法。
【請求項１２】
請求項１に記載の方法であって、
粗い厚み表示と細かい厚み表示の１つを表示する段階をさらに有することを特徴とする方法。
【請求項１３】
請求項１に記載の方法であって、
第１の側から第２の側に同時にめくられるページを追加的に表示しつつ、静止した左右のページを表示する段階をさらに有し、前記追加ページは前記静止した左右のページの間にあることを特徴とする方法。
【請求項１４】
請求項１に記載の方法であって、
本をブラウズする速さを調節する段階と、
前記調節された本をブラウズする速さに対応してより多いまたは少ないページを同時に表示する段階と、
ページめくりの方向と前記本をブラウズする速さに比例して左側と右側の厚み画像を調整する段階と、をさらに有することを特徴とする方法。
【請求項１５】
請求項７に記載の方法であって、
現在のページとジャンプ先のページの間でめくれる第１のページの集まりを表示する段階をさらに有し、前記第１のページの集まりの厚みは現在のページとジャンプ先のページの間のページ数に比例することを特徴とする方法。
【請求項１６】
請求項１に記載の方法であって、
第１の方向に同時にめくれる複数のページを表示する段階と、
同時にめくれる複数のページの１つまたは全部のめくりを停止する段階と、
前記第１の方向とは逆の方向にめくれる前記停止した１つまたは全部のページを表示して、一方、前記第１の方向に同時にめくれる前記複数のページの残りを表示する段階と、をさらに有することを特徴とする方法。
【請求項１７】
請求項１６に記載の方法であって、
同時にめくれる複数のページの前記１つまたは全部のサブセットのめくりを停止する段階と、
前記第１の方向にめくれる前記１つまたは全部のページの前記停止されたサブセットを表示し、一方、前記反対方向に同時にめくれる前記サブセットの残りを表示する段階と、をさらに有することを特徴とする方法。
【請求項１８】
請求項１７に記載の方法であって、
前記複数のページの前記残りのサブセットのめくりを停止する段階と、
前記反対方向にめくれる前記複数のページの前記残りの前記停止されたサブセットを表示し、一方、前記第１の方向に同時にめくれる前記複数のページの前記残りの残りを表示する段階と、をさらに有することを特徴とする方法。
【請求項１９】
請求項１０に記載の方法であって、
前記１つ以上の凍結されたページの一部または全部を解凍する段階をさらに有することを特徴とする方法。
【請求項２０】
請求項１９に記載の方法であって、
凍結前のめくり方向と同じ方向にめくれる解凍されたページを表示する段階と、
凍結前のめくり方向と反対の方向にめくれる解凍されたページを表示する段階と、
凍結前のめくり方向と同じ方向にめくれる解凍されたページの第１のサブセットを表示し、一方、凍結前のめくり方向と反対の方向にめくれる解凍されたページの第２のサブセットを表示する段階と、のうちの１つをさらに有することを特徴とする方法。
【請求項２１】
請求項７に記載の方法であって、
前記ページブックマーク、前記注釈ブックマーク、前記フィンガーブックマーク、及び前記キーワードブックマークの他の１つの選択と、及び前記左右のジャンプカーソルの１つの起動との１つにより、第２の選択されたページにジャンプする段階と、
前記現在のページと第２のジャンプ先のページの間でめくれる第２のページの集まりを表示する段階と、を有し、
前記第２のページの集まりの厚みは後続端のページと第２のジャンプ先ページの間のページ数に比例し、
第２の選択されたページへの前記ジャンプは、現在のページとジャンプ先のページの間でめくれる第１のページの集まりを表示している間に起こることを特徴とする方法。
【請求項２２】
請求項４に記載の方法であって、
前記１つ以上のめくれるページを前記ディスプレイ上に静止させる段階と、
制御装置の位置制御構成要素を制御することによりスクリーンを横切って前記静止させた１つ以上のページを動かす段階と、をさらに有することを特徴とする方法。
【請求項２３】
請求項４に記載の方法であって、
前記右側厚み画像と前記左側厚み画像の一方から第１のページまたは第１のページの集まりを持ち上げる段階と、
持ち上げた第１のページまたは持ち上げた第１のページの集まりに、追加ページの集まりを集めて第１のブックサブセクションにする段階と、
前記第１のブックサブセクションを保持またはめくる段階と、をさらに有することを特徴とする方法。
【請求項２４】
請求項２３に記載の方法であって、
前記第１のブックサブセクションから少なくとも１つのページをドロップする段階をさらに有することを特徴とする方法。
【請求項２５】
請求項４に記載の方法であって、
前記右側厚み画像と前記左側厚み画像の一方から第１のページの集まりを持ち上げる段階と、
前記第１のページの集まりを保持またはめくる段階と、をさらに有することを特徴とする方法。
【請求項２６】
請求項２５に記載の方法であって、
前記第１のページの集まりから少なくとも１つのページをドロップする段階をさらに有することを特徴とする方法。
【請求項２７】
請求項２３に記載の方法であって、
前記制御装置で第１の単一ページまたは第２のページの集まりを持ち上げ、第２のブックサブセクションを形成する段階と、
前記第１と第２のブックサブセクションで準書籍を形成する段階と、をさらに有することを特徴とする方法。
【請求項２８】
請求項２７に記載の方法であって、
前記第１と第２のページの集まりの少なくとも一方から少なくとも１つのページをドロップする段階をさらに有することを特徴とする方法。
【請求項２９】
請求項４に記載の方法であって、
メニューを表示する段階をさらに有することを特徴とする方法。
【請求項３０】
請求項４に記載の方法であって、
メモリカードのコンテンツを見る段階、
ＣＤまたはＤＶＤのコンテンツを見る段階、
１つ以上の記憶媒体のコンテンツを見る段階、
メモリカードからＣＤまたはＤＶＤにコンテンツをコピーする段階、
ＣＤまたはＤＶＤからメモリカードにコンテンツをコピーする段階、
第１の記憶媒体から第２の記憶媒体にコンテンツをコピーする段階、
制御装置からメモリカード、１つ以上の記憶媒体、またはＣＤもしくはＤＶＤにコンテンツをコピーする段階、
メモリカード、１つ以上の記憶媒体、ＣＤまたはＤＶＤの１つから制御装置にコンテンツをコピーする段階、
画像、テキスト、オーディオオブジェクト、ビデオオブジェクト、マルチメディアオブジェクト、ページ、及び仮想書籍の１つに任意的機能を適用する段階、のうちの１つをさらに有することを特徴とする方法。
【請求項３１】
請求項３０に記載の方法であって、
メモリカード、１つ以上の記憶媒体、またはＣＤもしくはＤＶＤの前記コンテンツを、サムネイル、スライドショー、またはめくれる書籍として見せる段階をさらに有することを特徴とする方法。
【請求項３２】
請求項３１に記載の方法であって、
プレビューするフォルダを選択する段階をさらに有することを特徴とする方法。
【請求項３３】
請求項３０に記載の方法であって、
メモリカード、ＣＤまたはＤＶＤ、及び１つ以上の記憶媒体の１つの前記コンテンツを、直接またはネットワークを介して前記制御装置に接続された書き込み可能媒体にコピーする段階をさらに有することを特徴とする方法。
【請求項３４】
請求項３０に記載の方法であって、
画像、テキスト、オーディオファイル、ビデオファイル、マルチメディアオブジェクトの１つを、インターネット及びイントラネットの少なくとも１つからコピーする段階をさらに有することを特徴とする方法。
【請求項３５】
請求項３０に記載の方法であって、前記パラメータを設定する段階は、
サウンドエフェクト、アルバム音楽、アルバムテーマ、メモリカード、コンパクトディスク、自動再生間隔の１つを選択する段階を有することを特徴とする方法。
【請求項３６】
請求項３０に記載の方法であって、
画像にビジュアルエフェクトを適用する段階をさらに有することを特徴とする方法。
【請求項３７】
請求項３０に記載の方法であって、
ページ上の画像の削除、回転、及び編集のうち１つをする段階をさらに有することを特徴とする方法。
【請求項３８】
請求項３０に記載の方法であって、
サウンドエフェクトを適用する段階と、画像及びページの一方に音楽を適用する段階とのうち一方をさらに有することを特徴とする方法。
【請求項３９】
請求項３０に記載の方法であって、
前記制御装置に直接またはネットワークを介して接続された書き込み可能媒体に仮想書籍全体をコピーする段階をさらに有することを特徴とする方法。
【請求項４０】
請求項３０に記載の方法であって、
メモリカードのコンテンツを見る前記段階、
ＣＤまたはＤＶＤのコンテンツを見る前記段階、
１つ以上の記憶媒体のコンテンツを見る前記段階、
メモリカードからＣＤまたはＤＶＤにコンテンツをコピーする前記段階、
ＣＤまたはＤＶＤからメモリカードにコンテンツをコピーする前記段階、
第１の記憶媒体から第２の記憶媒体にコンテンツをコピーする前記段階、
制御装置からメモリカード、１つ以上の記憶媒体、またはＣＤもしくはＤＶＤにコンテンツをコピーする前記段階、
メモリカード、１つ以上の記憶媒体、ＣＤまたはＤＶＤの１つから制御装置にコンテンツをコピーする前記段階、
画像、テキスト、オーディオオブジェクト、ビデオオブジェクト、マルチメディアオブジェクト、ページ、及び仮想書籍の１つに任意的機能を適用する前記段階、のうちの少なくとも１つは、１ボタン操作を有することを特徴とする方法。
【請求項４１】
請求項３０に記載の方法であって、
制御装置からメモリカード、１つ以上の記憶媒体、またはＣＤもしくはＤＶＤにコンテンツをコピーする前記段階は、メモリカード、１つ以上の記憶媒体、またはＣＤもしくはＤＶＤに前記制御装置からビューイングソフトウェアを組み込む段階を有することを特徴とする方法。
【請求項４２】
電子ブックを表示・編集するシステムであって、
左右の本の厚み画像により前記電子ブック中の現在の位置を示すように構成された本の厚みインジケータを含むディスプレイスクリーンと、
メモリ・制御装置と、
コントローラと、を有することを特徴とするシステム。
【請求項４３】
請求項４２に記載のシステムであって、
前記ディスプレイスクリーンは、
コンピュータスクリーンと、
テレビスクリーンと、のうち一方を有することを特徴とするシステム。
【請求項４４】
請求項４３に記載のシステムであって、前記テレビスクリーンは、
アナログディスプレイスクリーン、
デジタルディスプレイスクリーン、
ワイドアスペクトディスプレイスクリーン、
非ワイドアスペクトディスプレイスクリーン、
ＮＴＳＣディスプレイスクリーン、
ＰＡＬディスプレイスクリーン、または
その他種類のディスプレイスクリーンのうちの１つを有することを特徴とするシステム。
【請求項４５】
請求項４２に記載のシステムであって、コントローラは、
マウス、
キーボード、
有線または無線のリモコン、のうちの１つを有することを特徴とするシステム。
【請求項４６】
請求項４２に記載のシステムであって、前記コントローラと前記メモリ・制御装置のうち少なくとも１つは、
スタンバイボタン、
クローズボタン、
左ズームボタン、
右ズームボタン、
上ボタン、
下ボタン、
ＯＫボタン、
左ボタン、
右ボタン、
左厚みボタン、
右厚みボタン、
ブックマークボタン、
メニューボタン、
自動めくりボタン、
ページ指定めくりボタン、
コピーボタン、
イジェクトボタン、及び
消去ボタン、のうち少なくとも１つを有することを特徴とするシステム。
【請求項４７】
請求項４６に記載のシステムであって、
前記ボタンの少なくとも１つはディスプレイメニューと強力して動作することを特徴とするシステム。
【請求項４８】
請求項４２に記載のシステムであって、前記コントローラと前記メモリ・制御装置の少なくとも一方は、
動きの方向コマンド、
動きの速さコマンド、
文書中の指定点へのジャンプの選択コマンド、
文書中の指定店へのジャンプコマンド、
パーマネントブックマークコマンド、
フィンガーブックマークコマンド、
単一ページをめくるコマンド、
指定間隔（速さ）で複数ページをめくるコマンド、
最終後続ページの方向反転コマンド、
最終後続Ｎページの方向反転コマンド、
選択した一群のページの方向反転コマンド、
めくる途中で１つまたは２つ以上のページを凍結コマンド、
凍結ページを解凍、凍結前の方向にめくるコマンド、
凍結ページを解凍、すべて同じ方向にめくるコマンド、
凍結ページを解凍、一部を本の左側、残りを右側にめくるコマンド、
凍結ページを解凍、ページのサブグループを異なる方向にめくるコマンド、
ジャンプして、ページの集まりを一度にめくるコマンド、
ページの集まりをめくっている間に他のページをめくるコマンド、
ページをめくっている間にページの１つ以上の集まりをめくるコマンド、
ページを選択して保持コマンド、
保持した単一のページを所望の速さで所望の方向に動かすコマンド、
ページの集まりを選択して保持コマンド、
保持したページの集まりを所望の速さで所望の方向に動かすコマンド、
２つ以上のページまたはページの集まりを選択して保持コマンド、
保持したページ及びページの集まりを所望の方向と速さで動かすコマンド、
めくる途中で単一ページを保持し、他のページをめくって重ねるコマンド、
めくる途中でページの単一の集まりを保持し、他のページをめくって重ねるコマンド、
めくる途中で単一のページまたはページの集まりを保持し、それと本の片側の厚みの１つとの間で全ページ（上記ページとこのページの全て）めくり動作を実行コマンド、及び
めくる途中で２つのページまたはページの集まりを保持し、その間で全ページ（上記ページとこのページの全て）めくり動作を実行コマンド、
のうち少なくとも１つを開始するように構成されていることを特徴とするシステム。
【請求項４９】
請求項４８に記載のシステムであって、
前記コマンドの少なくとも１つはメニューを介して実行されることを特徴とするシステム。
【請求項５０】
請求項４２に記載のシステムであって、
前記メモリ・制御装置はコンピュータを有することを特徴とするシステム。
【請求項５１】
請求項４２に記載のシステムであって、前記メモリ・制御装置は、
前記コンピュータに内蔵されたメモリ、
ポータブルメモリモジュール、
メモリカード、
メモリスティック、及び
コンパクトディスク、のうち少なくとも１つを有することを特徴とするシステム。
【請求項５２】
請求項４２に記載のシステムであって、
ＣＤ−Ｒ、
ＣＤ−ＲＷ、
ＤＶＤ、
ポータブル光学大容量記憶ディスク、
ポータブル大容量非光学記憶媒体、
前記メモリ・制御装置に内蔵された、またはメモリ・制御装置に有線または無線接続により、またはインターネットを介して接続された記憶媒体、のうち１つをさらに有することを特徴とするシステム。
【請求項５３】
請求項１ないし４１に記載の方法の少なくとも１つを実行するように構成された装置。
【請求項５４】
コンピュータに、請求項１ないし４１に記載の方法の少なくとも１つに対応する命令を実行させることを特徴とするコンピュータプログラム。
【国際調査報告】
2007524169.tif 000044